(57)【要約】【課題】色フィルタなどの交換要素を用いず、光源の熱線による劣化を抑制する。【解決手段】光源１１と；回転可能に設けられ、光源１１から出射された光を反射させる回折格子１２と；回折格子１２により反射された光を通過させるスリット１３と；スリット１３を経た光を所定方向へ導出する反射鏡１４とを具備することにより、回折格子１２により波長分散されて所定角度に反射された光をスリット１３を介して単色光を得るように構成した。【選択図】図１
2007305410.tif 000002
【特許請求の範囲】
【請求項１】
光源と；
回転可能に設けられ、光源から出射された光を反射させる回折格子と；
回折格子により反射された光を通過させるスリットと；
スリットを経た光を所定方向へ導出する導光路と；
を具備することを特徴とする照明器具。
【請求項２】
請求項１に記載された構成を有する第１の照明器具と；
請求項１に記載された構成を有する第２の照明器具と；
第１の照明器具と第２の照明器具とから出射される光の一方を選択する選択手段と；
を具備することを特徴とする照明器具。
【発明の詳細な説明】
【技術分野】
【０００１】
この発明は、舞台やスタジオにおける照明の際に所望のカラーシーンを実現させるために用いる調色可能な照明器具に関するものである。
【背景技術】
【０００２】
従来、この種の照明器具にあっては、調色のために複数の色フィルタを用意し、これらから所望の色を選択して用いるようにしていた。このため、多くの色表現をする必要がある場合には、多数の色フィルタが必要となる問題点があった。
【０００３】
上記に対し、例えば特許文献１に示されるカラーチェンジャ装置と称される照明器具がある。このカラーチェンジャ装置にあっては、長尺帯状の色フィルター帯に複数の色を実現する色フィルターを配置したものである。
【特許文献１】実公平６−９３６２号公報
【０００４】
上記特許文献１に記載のカラーチェンジャ装置にあっては、多くの色表現をするためには、色フィルター帯に配置する色フィルターの数を多くする必要があり、色フィルター帯が長くなるものである。
【０００５】
また、上記特許文献１に記載の照明器具を含めて、従来の照明器具にあっては、光源からの熱線により色フィルタが劣化し、交換が必要となる問題点もあった。
【発明の開示】
【発明が解決しようとする課題】
【０００６】
発明が解決しようとする課題は、多くの色表現をするためには多くの色フィルタが必要なことにあり、また、光源の熱線による劣化が起こりやすく色フィルタが交換が必要となる点にある。本発明は、係る問題点を解決するためになされたもので、その目的は、光源の熱線による劣化の度合いが少なく、また、色フィルタなどの交換要素を用いることなく、多色で素早い色交換が可能な照明器具を提供することである。
【課題を解決するための手段】
【０００７】
本発明に係る照明器具は、光源と；回転可能に設けられ、光源から出射された光を反射させる回折格子と；回折格子により反射された光を通過させるスリットと；スリットを経た光を所定方向へ導出する導光路と；を具備することを特徴とする。
【０００８】
光源としては、白色光を発する小型高輝度のランプ、例えばメタルハライドランプ等を使用可能である。導光路は、反射鏡により構成することができ、反射鏡は回折格子と連動して回動する。回折格子は、ファインセラミックや金属などの耐熱材により構成されていることが望ましい。光源からの光の出射方向と、導光路からの光の出射方向が一致していることが望ましい。回折格子の表面には溝が設けられ、溝の斜面と反射鏡の鏡面とを平行とするのが望ましい。
【０００９】
本発明に係る照明器具は、請求項１に記載された構成を有する第１の照明器具と；請求項１に記載された構成を有する第２の照明器具と；第１の照明器具と第２の照明器具とから出射される光の一方を選択する選択手段と；を具備することを特徴とする。
【００１０】
選択手段としては、回転により第１の照明器具と第２の照明器具とから出射される光の一方を反射するミラーを採用することができる。第１の照明器具に用いられている回折格子により得られる色と第２の照明器具に用いられている回折格子により得られる色とを異ならせておき、選択手段により瞬時に切り換え選択を行うことが可能である。
【発明の効果】
【００１１】
上記構成に係る本願発明によれば、回折格子の角度変更とスリットによって様々な単色光が得られ、これを導光路にて所定方向へ導出することで、所望の単色光を照射することができ、多くの色フィルタが不要となり、光源の熱線による劣化が起こり難いという効果がある。
【００１２】
また、請求項２に記載の本願発明によれば、第１の照明器具に用いられている回折格子により得られる色と第２の照明器具に用いられている回折格子により得られる色とを異ならせて、選択手段により瞬時に切り換え選択を行っていずれかの単色光による照射が可能であり、照明色を短時間で切り換えることができる効果がある。
【発明を実施するための最良の形態】
【００１３】
以下添付図面を参照して、本発明に係る照明器具の実施例を説明する。各図において同一の構成要素には、同一の符号を付して重複する説明を省略する。
【実施例１】
【００１４】
図１には、本発明に係る照明器具の第１の実施例構成が示されている。この照明器具は、光源１１、回折格子１２、スリット１３、反射鏡１４を具備する。光源１１には、白色光を発する小型高輝度のランプ、例えばメタルハライドランプ等が使用されると共に、反射板１５などにより平行光とされて回折格子１２へ向けて出射される。回折格子１２は、表面に複数条の溝２１を有し、その溝２１は例えば図２に示されるように断面形状が鋸歯状となっている。回折格子１２は、到来する平行光を波長分散して波長に応じて決定される角度方向へ反射する。この回折格子１２は、ファインセラミックや金属などの耐熱材により構成されていることが望ましい。
【００１５】
スリット１３は、回折格子１２により反射された光を通過させて単色光とするものである。反射鏡１４は、スリット１３を経た光を所定方向へ導出する導光路を構成する。光源１１からの光の出射方向と、反射鏡１４による導光路からの光の出射方向が一致していることが望ましく、ここではそのような構成が採用されている。
【００１６】
本実施例において、回折格子１２は反射した光の光軸を変更するように回転し、回折格子１２の回転により所要の単色光がスリット１３を介して出射されるように構成され、また、この回折格子１２の回転に連動して反射鏡１４も反射した光の光軸を変更するように回転する。回折格子１２の表面に形成されている溝２１の斜面２２と反射鏡１４の鏡面とを図２に示す如く平行とするのが望ましく、本実施例では係る構成が採用されている。即ち、図２に示されているように、溝２１の斜面２２に対する光の入射角θ1iと反射角θ1oは等しく、また、反射鏡１４に対する光の入射角θ2iと反射角θ2oも全てが等しく、効率良く単色光が得られる構成とされている。即ち、図２においては、θ1i＝θ1o＝θ2i＝θ2oとなっている。
【００１７】
図３には、図１に示した照明器具に関する調色制御の構成が示されている。調色ボタン３１により、複数色から所望の色を選択可能となっている。調色ボタン３１は、例えばスライドにより移動するもので、スライド位置を漸次連続変化する色と対応させて所望の色を指定する構成であり、停止位置に応じた調色信号が出力される。また、外部入力端子３２には、ＤＭＸ信号（ＤＭＸ５１２：米国劇場技術協会(USITT)が規格化した演出分野での標準ディジタル信号）による調色信号(前述と同様に、選択された色に対応する信号)が到来可能に構成されている。スイッチ３３は、調色ボタン３１または外部入力端子３２から送出される調色信号を選択するものであり、選択された調色信号は制御信号発生部３４へ送られる。
【００１８】
制御信号発生部３４は、調色信号を回折格子１２の角度変化量に応じたステッピングモータ３６に対するパルス信号（駆動信号）に変換して出力するもので、マイクロコンピュータなどにより構成されるコントローラにより構成される。従って、制御信号発生部３４は、例えば、各色対応の調色信号とパルス信号（駆動信号）を対応付けたメモリテーブルを備えて、到来する調色信号に対応するパルス信号（駆動信号）を出力するように構成することができる。
【００１９】
パルス信号（駆動信号）はステッピングモータ３６に送られ、ステッピングモータ３６を含んで構成される角度調整機構３５がステッピングモータ３６の回転に応じて回折格子１２及び反射鏡１４を回転させる。
【００２０】
以上の構成によって、光源１１から出射された白色平行光は、回折格子１２により波長分散されて波長に応じて決定される角度方向へ反射され、スリット１３により単色光とされて反射鏡１４へ出射され、反射鏡１４による反射により所定方向へ導出される。ここに、前述の通り、制御信号発生部３４には、調色ボタン３１または外部入力端子３２から調色信号が到来し、ステッピングモータ３６の回転により回折格子１２が所要角度となっており、所望の単色光が反射鏡１４へ射出される。この結果、反射鏡１４から構成される導光路にて所定方向へ導出することで、所望の単色光を照射することができる。
【実施例２】
【００２１】
図４には、第２の実施例に係る照明器具の構成が示されている。この第２の実施例に係る照明器具は、第1の実施例に記載された構成を有する第１の照明器具５０−１と、第1の実施例に記載された構成を有する第２の照明器具５０−２とを備える。また、第１の照明器具５０−１と第２の照明器具５０−２とから出射される光の一方を選択する選択手段として機能するミラー５１が備えられている。
【００２２】
第１の照明器具５０−１は、光源１１−１、回折格子１２−１、スリット１３−１、反射鏡１４−１及び反射板１５−１を具備する。第２の照明器具５０−２は、光源１１−２、回折格子１２−２、スリット１３−２、反射鏡１４−２及び反射板１５−２を具備する。第１の照明器具５０−１と第２の照明器具５０−２とは、対向して設けられており、反射鏡１４−１から出射された光の光路と反射鏡１４−２から出射された光の光路とは、一致している。反射鏡１４−１と反射鏡１４−２とを結ぶ光路上の所定位置（例えば、中間位置）にミラー５１が設けられ、ミラー５１が矢印に示す通りに回転され、反射鏡１４−１から出射された光、または、光路と反射鏡１４−２から出射された光のいずれかを、当該照明器具における光照射方向（図４における下方）へ反射させる。
【００２３】
ミラー５１は例えば高速回転するモータにより駆動される。このモータの駆動は、例えば、マイクロコンピュータにより構成される照明制御卓等から行うことができる。この照明制御卓等からの制御によって、第１の照明器具５０−１と第２の照明器具５０−２とのいずれから出射された単色光を選択することが可能である。この照明制御卓では、例えば、照明スケジュール情報が時刻またはスタートからの時刻対応に記憶されており、この照明スケジュール情報に基づき第１の照明器具５０−１と第２の照明器具５０−２とに対する調色信号の送出と、ミラー５１の切り換えとを制御して照明シーンにおける瞬時の調色切り換えを行うことが可能である。
【００２４】
図５に、スタートからの時刻対応に記載された照明スケジュール情報の一例を示す。スタート時においては、第１の照明器具５０−１が選択され、第１の照明器具５０−１に対し「青色」の調色信号が送出され、第２の照明器具５０−２に対し「赤色」の調色信号が送出されている。５分後には、ミラー５１の切り換えの制御信号が送られ、第２の照明器具５０−２が選択される。このため、スタートから５分後には照明色が「青色」から「赤色」へ瞬時に切り換えられると共に第１の照明器具５０−１に対し「紫色」の調色信号が送出され、次の切り換え時間であるスタートから１３分後の照明色（「紫色」）が第１の照明器具５０−１に準備される。照明制御卓からの係る自動制御により次々と照明色を瞬時に変化させることが可能であり、スムーズな照明状態を実現可能である。この例では、全て自動的に制御信号を送る場合を示したが、調色信号については初期時に双方に向けた調色信号を送り、ミラー５１の切り換え制御時に切り換えにより非選択される側へ向けた調色信号を送るようにし、ミラー５１の切り換えの制御信号をオペレータが操作して送るようにしても良い。もしくは、全ての制御信号をオペレータが操作して送るようにしても良い。
【図面の簡単な説明】
【００２５】
【図１】本発明に係る照明器具の第１の実施例を示す構成図。
【図２】本発明に係る照明器具の第１の実施例における要部拡大構成図。
【図３】本発明に係る照明器具の第１の実施例における調色制御の構成図。
【図４】本発明に係る照明器具の第２の実施例を示す構成図。
【図５】本発明に係る照明器具の第２の実施例による照明を行う場合に用いられる照明スケジュール情報の一例を示す図。
【符号の説明】
【００２６】
１１、１１−１、１１−２  光源 
１２、１２−１、１２−２  回折格子 
１３、１３−１、１３−２  スリット 
１４、１４−１、１４−２  反射鏡 
１５、１５−１、１５−２  反射板 
３１  調色ボタン 
３２  外部入力端子 
３３  スイッチ 
３４  制御信号発生部 
３５  角度調整機構部 
３６  ステッピングモータ 
５０−１  第１の照明器具 
５０−２  第２の照明器具 
５１  ミラー
【図１】
2007305410.tif 000003
【図２】
2007305410.tif 000004
【図３】
2007305410.tif 000005
【図４】
2007305410.tif 000006
【図５】
2007305410.tif 000007